(57)【特許請求の範囲】
【請求項１】
上端に通気口および下端に環状取付フランジを有し配管の管路端に設けられた配管機器を囲むように配置された漏洩補修継手本体と、複数割りしたフランジ部を有し配管の管路端部を囲むように固定された押輪フランジと、漏洩補修継手本体の環状取付フランジを押輪フランジに固定する固定手段とを有し、
環状取付フランジの下面に環状溝を設け、環状溝にシールリングを配置した
ことを特徴とする管路末端機器の漏洩補修継手。
【請求項２】
上端に通気口および下端に環状取付フランジを有し配管の管路端に設けられた配管機器を囲むように配置された漏洩補修継手本体と、複数割りしたフランジ部を有し配管の管路端部を囲むように固定された押輪フランジと、漏洩補修継手本体の環状取付フランジを押輪フランジに固定する固定手段とを有し、
押輪フランジと管路端部の間にゴムリングを配置した
ことを特徴とする管路末端機器の漏洩補修継手。
【請求項３】
漏洩補修継手本体の通気口に封止栓を装着した
ことを特徴とする請求項１または２に記載の管路末端機器の漏洩補修継手。
【発明の詳細な説明】
【技術分野】
【０００１】
本発明は、配管の管路端に配設された配管機器からの流体の漏洩を配管を稼動したまま止めることができる管路末端機器の漏洩補修継手に関する。
【背景技術】
【０００２】
水道管などの配管は、管路端に空気弁装置を配置し、空気弁装置を通して配管内に溜まる空気を放出するようにしている。空気弁装置は、そのフランジ部を管路端に設けたフランジ部にボルトナットのような固定手段により固定される。
【０００３】
空気弁装置は、故障することなく正常に作動している場合には、流体の漏洩という問題は発生しないが、パッキング等が破損した場合には、配管内を流れる流体が空気弁装置を通して外部に漏洩する事故が発生する。空気弁装置からの流体の漏洩を止めるには、配管の稼動を停止し、故障した空気弁装置を新しい空気弁装置に交換しなければならない。
【発明の開示】
【発明が解決しようとする課題】
【０００４】
配管の管路端に配設された空気弁装置からの流体の漏洩を止めるには、配管の稼動を停止し、故障した空気弁装置を新しい空気弁装置に交換しなければならないが、空気弁装置からの流体の漏洩を発見した後、直ちに配管の稼動を停止することは、配管を利用している利用者の生活に支障を来すことになるという問題点がある。
【０００５】
本発明は、上記した問題点を考慮してなされたもので、配管の管路端に配設された配管機器からの流体の漏洩を配管を稼動したまま止めることができる管路末端機器の漏洩補修継手を提供することを目的とする。
【課題を解決するための手段】
【０００６】
本発明の管路末端機器の漏洩補修継手は、上端に通気口および下端に環状取付フランジを有し配管の管路端に設けられた配管機器を囲むように配置された漏洩補修継手本体と、複数割りしたフランジ部を有し配管の管路端部を囲むように固定された押輪フランジと、漏洩補修継手本体の環状取付フランジを押輪フランジに固定する固定手段とから構成される。
【発明の効果】
【０００７】
本発明による漏洩補修継手ば、配管の管路端に設けられた配管機器全体を囲むように配管の管路端部に固定することで、配管機器からの流体の漏洩が生じても、配管を稼動したまま配管機器からの流体の漏洩を止めることができる。
【０００８】
また、本発明による漏洩補修継手ば、配管内を断水できる状況になった時点で解体することで、配管機器の交換により発生する配管利用者の生活の支障を少なくすることができる。
【発明を実施するための最良の形態】
【０００９】
以下、本発明による管路末端機器の漏洩補修継手の一実施形態について、添付の図面を参照しながら説明する。  
本発明による管路末端機器の漏洩補修継手１は、図１および図２に示すように、配管２の管路端２ａのフランジ２ｂに配設された配管機器たとえば空気弁装置３の全体を囲むように配置された漏洩補修継手本体４と、配管２の管路端２ａを囲むように固定された押輪フランジ５とを有する。
【００１０】
上記漏洩補修継手本体４は、空気弁装置３を囲む周壁６と、この周壁６の上端を覆うように溶着されたカバー７と、周壁６の下端に溶着された環状取付フランジ８とを有する。カバー７の適当部位たとえば中央部には、外気に連通する通気口９が上方に突き出るように形成されている。通気口９には、空気弁装置３から漏洩する流体が外部に漏洩するのを防ぐために図示しない封止栓が装着される。
【００１１】
漏洩補修継手本体４の環状取付フランジ８には、周方向に間隔を置いて複数の取付孔８ａが穿設されている。この環状取付フランジ８の下面には、環状溝９が形成され、この環状溝９に環状シール１０が装着されている。
【００１２】
上記押輪フランジ５は、図１に示すように、２つ割したフランジ部５ａ，５ａから形成され、配管２の管路端２ａに固定される。押輪フランジ５は、３つ以上のフランジ部５ａから形成することもできる。押輪フランジ５には、前記環状取付フランジ８に設けた取付孔８ａに対応して複数の取付孔５ｂが穿設されている。また、各フランジ部５ａの下端には一体に取付部５ｃが形成されている。各フランジ部５ａ，５ａは、配管２の管路端２ａを囲むように配置され、ボルトナットのような固定手段１１により互いに連結される。
【００１３】
上記漏洩補修継手本体４は、環状取付フランジ８に設けた複数の取付孔８ａが押輪フランジ５に設けた複数の取付孔８ａに整合するように配管２の管路端２ａに固定した押輪フランジ５の上面に配置され、環状取付フランジ８に設けた取付孔８ａおよび押輪フランジ５に設けた取付孔８ａを挿通するボルトナットのような固定手段１２により押輪フランジ５に連結される。これにより、漏洩補修継手本体４の環状取付フランジ８は、環状シール１０を介して押輪フランジ５に液密に固定される。また、押輪フランジ５と管路端２ａの間には、空気弁装置３から漏洩する流体が配管２側に漏れるの防ぐためのゴムリング１３が配置される。
【００１４】
上記空気弁装置３は、図２に示すように、そのフランジ３ａを配管２の管路端２ａのフランジ２ｂにボルトナットのような固定手段１４により取り付けられる。
【００１５】
なお、上記実施の態様では、管路末端機器として空気弁装置を例として説明したが、計測装置のような他の装置であつてもよい。
【００１６】
つぎに、本発明による管路末端機器の漏洩補修継手１の配管２の管路端２ａへの取付手順について説明する。
【００１７】
配管２の管路端２ａには、管路末端機器である空気弁装置３が固定手段１４により取り付けられている。
【００１８】
まず、押輪フランジ５の２つ割したフランジ部５ａ，５ａを、配管２の管路端２ａを囲むように対向配置し、フランジ部５ａ，５ａの内端と管路端２ａの外面との間にゴムリング１３を配置する。
【００１９】
ついで、２つ割したフランジ部５ａ，５ａを、ボルトナット固定手段１１により互いに連結する。これにより、押輪フランジ５は、配管２の管路端２ａの空気弁装置３に隣接した部位に固定される。
【００２０】
つぎに、漏洩補修継手本体４を、環状取付フランジ８が配管２の管路端２ａに設けた空気弁装置３の上方に配置し、そのまま下方に押し下げることで空気弁装置３を覆うように配置する。
【００２１】
つぎに、漏洩補修継手本体４を、環状取付フランジ８に設けた取付孔８ａが押輪フランジ５に設けた取付孔８ａに整合するように押輪フランジ５の上面に配置し、環状取付フランジ８に設けた取付孔８ａおよび押輪フランジ５に設けた取付孔８ａを挿通するボルトナット固定手段１２により押輪フランジ５に固定する。
【００２２】
これにより、本発明による管路末端機器の洩補修継手１の配管２の管路端２ａへの取付けが完了する。
【００２３】
本発明による管路末端機器の漏洩補修継手１は、押輪フランジ５を配管２の管路端２ａに固定し、漏洩補修継手本体４を押輪フランジ５に固定することで配管２の管路端２ａに取付けられるので、配管２の管路を断水することなく、作業現場で簡単に取り付けることができる。
【００２４】
また、本発明による管路末端機器の漏洩補修継手１は、空気弁装置３全体を囲むように配置されるので、空気弁装置３を外力による衝撃から保護することができる。
【００２５】
さらに、本発明による管路末端機器の漏洩補修継手１は、配管の管路を断水できる状況になった時点でボルトナット固定手段１２を取り外すことで簡単に分解できるので、空気弁装置３を交換することにより発生する配管利用者の生活の支障を少なくすることができる。
【図面の簡単な説明】
【００２６】
【図１】本発明による管路末端機器の漏洩補修継手を示す斜視図である。
【図２】本発明による管路末端機器の漏洩補修継手の半部を断面で示す側面図である。
【符号の説明】
【００２７】
１  漏洩補修継手
２  配管
２ａ 配管の管路端
３  空気弁装置
４  漏洩補修継手本体
５  押輪フランジ
【図１】
0004624254.tif 000002
【図２】
0004624254.tif 000003